(57)【要約】      （修正有）【課題】筆記具の中軸と後軸とを意図した相対角度位置に機械的に固定できる回り止め構造を提供する。【解決手段】本回り止め構造は、先金９と中軸５と後軸７とを含む軸筒と、該軸筒内に配置され、先金の先端から芯を繰り出すためのメカセット３と、該メカセットの後端に連結される芯繰り出し用のノックバー１３と、を含み、中軸は、先端側の中軸連結部と、中間の中軸リング部と、後端側の中軸本体部とを有し、中軸連結部には先金が装着され、中軸本体部には後軸が装着され、装着時に中軸リング部のみが外部に露出し、中軸本体部は、正多角柱状の外面を有し、後軸は、それに対応する相補的な正多角柱状の内面を有し、中軸本体部及び後軸は、前記装着時に殆どガタなく嵌合する。【選択図】図１
0003163128.tif 000002
【実用新案登録請求の範囲】
【請求項１】
先金と中軸と後軸とを含む軸筒と、
軸筒内に配置され、先金の先端から芯を繰り出すためのメカセットと、
メカセットの後端に連結される芯繰り出し用のノックバーと、
を含み、
中軸は、先端側の中軸連結部と、中間の中軸リング部と、後端側の中軸本体部と、を有し、中軸連結部には先金が装着され、中軸本体部には後軸が装着され、装着時に中軸リング部のみが外部に露出し、
中軸本体部は、正多角柱状の外面を有し、後軸は、それに対応する相補的な正多角柱状の内面を有し、中軸本体部及び後軸は、前記装着時に殆どガタなく嵌合することを特徴とする筆記具の回り止め構造。
【請求項２】
前記正多角柱は、正六角柱であることを特徴とする請求項１に記載の筆記具の回り止め構造。
【請求項３】
メカセット及び中軸は、メカセットに形成されるダボと、中軸に形成されるキー溝と、の嵌合によって一体回動し得ることを特徴とする請求項１または２に記載の筆記具の回り止め構造。
【請求項４】
中軸本体部の後端には、装着容易化及び／又は緩み止めのためにスリットが形成されることを特徴とする請求項１〜３のいずれか１項に記載の筆記具の回り止め構造。
【請求項５】
中軸リング部の後端側の外周縁には、前記正多角柱と同じ数の微小面取り部が周方向に対応するように均等に形成されることを特徴とする請求項１〜４のいずれか１項に記載の筆記具の回り止め構造。
【請求項６】
ノックバーは、芯削り器を内蔵することを特徴とする請求項１〜５のいずれか１項に記載の筆記具の回り止め構造。
【考案の詳細な説明】
【技術分野】
【０００１】
本考案は、筆記具の回り止め構造に関する。
【背景技術】
【０００２】
芯繰り出し機構を内部に収容し、先金、中軸、後軸という３つの部材から少なくとも構成される軸筒を有する筆記具が知られている。
例えば、特許文献１の筆記具では、これらの部材を互いに捩じ込むこと（螺合）により部材間が固定され、これにより軸筒が形成される。
【特許文献１】特開２００６−３０５８３６号公報
【考案の開示】
【考案が解決しようとする課題】
【０００３】
しかしながら、螺合による固定では、例えば、中軸と後軸とを意図した相対角度位置で固定できず、同様に、芯（芯繰り出し機構）と後軸とを意図した相対角度位置で固定できないという課題がある。
本考案は、このような課題を見事に解決し得る新規且つ斬新な筆記具の回り止め構造を提供することを目的とする。
【課題を解決するための手段】
【０００４】
本考案に係る筆記具の回り止め構造の第１実施態様は、先金と中軸と後軸とを含む軸筒と、軸筒内に配置され、先金の先端から芯を繰り出すためのメカセットと、メカセットの後端に連結される芯繰り出し用のノックバーと、を含み、中軸は、先端側の中軸連結部と、中間の中軸リング部と、後端側の中軸本体部と、を有し、中軸連結部には先金が装着され、中軸本体部には後軸が装着され、装着時に中軸リング部のみが外部に露出し、中軸本体部は、正多角柱状の外面を有し、後軸は、それに対応する相補的な正多角柱状の内面を有し、中軸本体部及び後軸は、前記装着時に殆どガタなく嵌合することを特徴とする。
【０００５】
本考案の第２実施態様は、第１実施態様において、前記正多角柱は、正六角柱であることを特徴とする。
本考案の第３実施態様は、第１または２実施態様において、メカセット及び中軸は、メカセットに形成されるダボと、中軸に形成されるキー溝と、の嵌合によって一体回動し得ることを特徴とする。
本考案の第４実施態様は、第１〜３実施態様のいずれか１つにおいて、中軸本体部の後端には、装着容易化及び／又は緩み止めのためにスリットが形成されることを特徴とする。
本考案の第５実施態様は、第１〜４実施態様のいずれか１つにおいて、中軸リング部の後端側の外周縁には、前記正多角柱と同じ数の微小面取り部が周方向に対応するように均等に形成されることを特徴とする。
本考案の第６実施態様は、第１〜５実施態様のいずれか１つにおいて、ノックバーは、芯削り器を内蔵することを特徴とする。
【考案の効果】
【０００６】
本考案によれば、芯や中軸や後軸等の間の相対角度位置を機械的に決定できる新規且つ斬新な構造を提供することができる。
本考案の上記及び他の目的、特徴、及び利点は、添付図面に描かれている本考案の好適な実施形態の説明及び添付の請求の範囲から当業者に明らかになる。
【考案を実施するための最良の形態】
【０００７】
以下、図面を参照して本考案の複数の実施形態を説明するが、本考案自体はそれらに限定されないことは言うまでもない。
【０００８】
先ず、図１〜図１０を参照して、本考案の第１実施形態に係る筆記具１について説明する。この筆記具は、ワンノック（１回の押圧動作）で直径２ｍｍの鉛筆芯Ｌを先端から所定量だけ繰り出すことができるメカニカルペンシルである。
【０００９】
本第１実施形態の筆記具１は、内部中央に配置されて芯繰り出し機構の主要部を構成するメカセット３（図３）と、メカセット３を同心状に覆う中軸５（図４〜図７）と、中軸５をすっぽり覆う後軸７（図８及び図９）と、中軸５の先端側に取り付けられる先金９（図１及び図２）と、中軸５の後端側に取り付けられる尾冠１１（図１０）と、芯繰り出し用のノックバー１３（図１及び図２）と、から基本的に構成される。
【００１０】
図３を参照すると、メカセット３は、透明又は半透明の樹脂製の細長い円筒状の芯パイプ（芯収容部）３ａと、芯パイプ３ａの先端側に設けられて解除自在に芯を固定するチャック部３ｂと、チャック部３ｂから所定寸法だけ離して芯パイプ３ａの外面に形成される一対のダボ３ｃと、チャック部３ｂとダボ３ｃとの間の芯パイプ部分に装着されるコイルバネ３ｄと、を含む。
【００１１】
ダボ３ｃは、１８０度対向するように側方に突出しており、両ダボ３ｃが中軸５の先端内側の対応するキー溝（後述）に嵌合することにより、メカセット３（芯Ｌ）と中軸５との間の相対角度位置が一義的に決まる（回り止めとなる、或いは、一緒に回る）。
【００１２】
図４〜図７を参照すると、中軸５は、先端側の中軸連結部５ａと、中間の中軸リング部５ｂと、後端側の中軸本体部５ｃと、を有し、全体が合成樹脂製の円筒状部材で構成される。
【００１３】
中軸連結部５ａは、中軸リング部５ｂよりも一回り小さい外径を有し、中軸リング部５ｂに近接する部分には、先金９の後端部の内側に形成される雌ネジと螺合する雄ネジが形成される。
【００１４】
中軸連結部５ａの内側の中心孔には、図６及び図７から理解されるように、長手方向に延びるキー溝５ｇが周方向に均等に４つ刻設される。
【００１５】
上述したように、これら４つのキー溝５ｇのうち、１８０度対向する一対のキー溝５ｇには、メカセットの一対のダボ３ｃが係合し、これにより中軸５及びメカセット３（芯Ｌ）の間の回り止め（第１の回り止め構成）が形成される。
【００１６】
中軸リング部５ｂは、先金９の後端部の外径と同じ外径を有する。後述するように、ペンシル組立て完了時において、中軸５全体のうち、中軸リング部５ｂのみが外部に露出する。
【００１７】
中軸本体部５ｃは、横断面が概ね正六角形を呈するような正多角柱状の６つの外面を有し、６面の各々が周方向に僅かに湾曲している。
【００１８】
中軸本体部５ｃの後端（末端）の内側には、雌ネジが形成され、この雌ネジは、尾冠１１の先端側に形成される雄ネジに螺合する。また、中軸本体部５ｃの後端には、長手軸線（中心軸線）方向に延びる一対の対向するスリット５ｓが形成される。
【００１９】
このスリット５ｓの存在により、中軸本体部５ｃの後端を互いに内方に撓ませることができるので、中軸５（中軸本体部５ｃ）に後軸７を装着する組み付け作業を楽に行うことができる。また、その際、このスリット５ｓの抵抗等による弛み止め効果のために、中軸本体部５ｃ（雌ネジ）に対する尾冠１１（雄ネジ）の捩じ込み（締め付け）固定性を相当改善できる。
【００２０】
図８及び図９を参照すると、後軸７は、金属製の円筒状部材で構成され、中軸５の中軸本体部５ｃ（正多角柱状）と相補的・相似的な内面形状（正多角柱状）を有する。
【００２１】
詳細には、後軸は、中軸５（中軸本体部５ｃ）に対する組み付け時に殆ど遊びやガタが発生しないような僅かなクリアランスを内部全周に有して、中軸本体部５ｃを内部にピタリと収容（殆どガタ無く嵌合）できる相補的な内部形状及び寸法（正六角柱状の内面）を有する。
【００２２】
この収容構造ないし嵌合構造により、中軸５及び後軸７の間の回り止め（第２の回り止め構成）が形成される。
【００２３】
図１及び図２を参照すると、先金９は、芯Ｌが出没する段付き先端部９ａと、緩いテーパの付いた円筒状の握り部９ｂと、を有する。
先金９の握り部９ｂの外周面には、握り性の向上等のためにローレットが刻設される。
【００２４】
先金９（握り部９ｂ）の後端の内側には、上述したように雌ネジが形成される。この先金９の雌ネジと中軸連結部５ａの雄ネジとが螺合することにより、先金９が中軸リング部５ｂに取り付く。このとき、中軸連結部５ａは、先金９によって外観上完全に覆われる。
【００２５】
図１０を参照すると、尾冠１１は、先端側の尾冠連結部１１ａと、中間の尾冠フランジ部１１ｂと、後端側の尾冠円筒部１１ｃと、を有し、全体が金属製の円筒状部材で構成される。
【００２６】
尾冠連結部１１ａには、雄ネジが形成され、尾冠円筒部１１ｃには、クリップ１５が装着される（図１及び図２）。この尾冠連結部１１ａの雄ネジと中軸５（中軸本体部５ｃ）の雌ネジとが螺合することにより、尾冠１１が中軸５（中軸本体部５ｃ）に取り付く。このとき、中軸本体部５ｃは、後軸７によって外観上完全に覆われる。
【００２７】
図１及び図２を参照すると、ノックバー１３は、メカセット３の芯パイプ３ａを受容するための先端孔部１３ａと、芯削り刃１７を受容するための後端孔部１３ｂと、を有し、全体が金属製の円筒状部材で構成される。
【００２８】
ノックバー１３の先端孔部１３ａは、手でメカセット３の（円筒状）芯パイプ３ａの後端を押し込んで固定でき且つ比較的簡単にそれを引き抜くことができるような寸法及び形状を有する。
【００２９】
ノックバー１３の後端孔部１３ｂには、細長いブレードを略Ｖ字状に折り曲げたような芯削り刃１７が挿入・固定され、天飾り（中空キャップ）１９で蓋をされる。天飾り１９は、２ｍｍ芯Ｌを楽に通すことができる大きさの中心孔を有する。
【００３０】
天飾り１９の中心孔に差し込んだ芯は、中心軸線方向に真っ直ぐ押し付けつつ軸線周りに回すことにより、芯削り刃１７によって尖らす（芯削りする）ことができる。
【００３１】
以上の構成を有して成る本第１実施形態に係る筆記具の作用・効果について、以下簡潔に説明する。
【００３２】
先ず、上記第１の回り止め構成（中軸５及びメカセット３（芯Ｌ）の間の回り止め）及び第２の回り止め構成（中軸５及び後軸７の間の回り止め）により、筆記具１の最も外側の後軸７に対する、筆記具先端から突出する芯Ｌの回転方向の追従ないし一体性を確保できる。すなわち、筆記具１の使用時すなわちライティング時に芯Ｌを確実に保持でき、良好な書き味を演出することが可能である。
【００３３】
特に、芯Ｌを削る（尖らす）際にそれが役立つ。具体的には、本実施形態では、ノックバー１３に芯削り機能を内蔵させたので、市販の芯削り器を別途持ち運ぶ必要が全くなく、必要なときに、ノックバー１３を取り外して、これに芯Ｌを差し込んで、後軸７を軸線周りに単に手で回すだけでよく、その際、芯Ｌが確実に後軸７と一体的に回るので、ノックバー１３内の芯削り刃１７によって芯Ｌを心地好く尖らすことができる。
【００３４】
また、本実施形態では、中軸本体部５ｃの後端にスリット５ｓを設けているので、後軸７を中軸５に装着し易くなり、かつ、締結性・固定性を向上できるので、尾冠１１が緩んで離脱するような事態を確実に遠ざけることができる。
【００３５】
さらに、中軸本体部５ｃ及び後軸７が互いに相補的な多角形筒状を有してピタリ嵌合するので、ペンシル組立て時の位置決め基準を自由に設定でき、このため、組立て作業の能率や効率を相当改善することが可能である。
【００３６】
これに関連して、例えば、中軸５及び／又は後軸７に装飾や意匠を施す場合に、中軸５及び後軸７の相対角度位置を一義的に決定できるので、統一感のある設計及び組立てを極めて簡便に実施可能である。
【００３７】
具体的には、本実施形態では、中軸リング部５ｂの後端側の外周縁に６つの微小の面取り部５ｃｈ（図２では、弓状）が形成され、対応する後軸７の６つの面７ｓｆのいずれか１つと滑らかに繋がるように意図される。
【００３８】
この点、中軸本体部５ｃと後軸７とが相補的な多角形筒状を介してピタリ嵌合（回り止め嵌合）するので、中軸５の６つの面取り部５ｃｈの各々と、対応する後軸７の６つの面７ｓｆ（図９）の１つと、を機械的に簡便につなげる（対向・対応させる）ことができる。
【００３９】
この面取り部５ｃｈ（図２）の存在により、後軸７の表面から中軸リング部５ｂに或いはその逆に滑らかに移行でき、突っ掛かりの無い心地良い自然な手触りを提供できる。しかも、そのような面取り部５ｃｈがあるために、意匠的・審美的に一味違う印象や重厚感を使用者に与えることができ、付加価値を高めることができる。
【００４０】
次に、図１１〜図１５を参照して、本考案の第２実施形態に係る筆記具２１について説明する。この筆記具２１は、ワンノックで直径０．５ｍｍの鉛筆芯Ｌを先端から所定量だけ繰り出すことができる、いわゆるシャープペンシルである。
【００４１】
説明を分かり易くする観点から、上記第１実施形態と共通する若しくは共通し得る部分・部品については、同一の参照符号を付すと共に、重複する説明を適宜省略し、特徴的な部分を重点的に説明する。
【００４２】
本第２実施形態の筆記具２１は、内部中央に配置されて芯繰り出し機構の主要部を構成するメカセット２３（図１１）と、メカセット２３を同心状に覆う中軸５（図１１）と、中軸５を覆う後軸７（図１１）と、中軸５の先端側に取り付けられる先金２９（図１３及び図１４）と、中軸５の後端側に取り付けられる尾冠１１（図１１）と、メカセット２３の後端に連結される受け台３３（図１５）と、受け台３３の後端に装着される消しゴム３５（図１１）と、受け台３３に連結される芯繰り出しのためのノックバー３７（図１１）と、から基本的に構成される。
【００４３】
メカセット２３の形状および構造は、上記第１実施形態のそれと原理的に略同じであるが、芯径（２ｍｍ→０．５ｍｍ）が異なるために、構造細部において微妙に異なる。尤も、メカセット自体は、本考案に直接関係する要素ではないので、これ以上の説明は省略する。
【００４４】
中軸５、後軸７、尾冠１１、及び、クリップ１５については、部品の共通化等の見地から、上記第１実施形態のそれらと共通する。尤も、本考案自体は、これに限られないことは言うまでもない。
【００４５】
図１３及び図１４を参照すると、先金は、メカセットに適合する内部形状を有するので、上記第１実施形態のそれと異なると共に、芯径が細い（０．５ｍｍφ）のでそれに適合する細い芯出没用の先端孔を有する。先金の握り部の外面形状及び寸法は、上記第１実施形態のそれと共通する。
【００４６】
図１５を参照すると、受け台３３は、先端側の受け台先端部３３ａと、中間の大径の受け台フランジ部３３ｂと、後端側の受け台後端部３３ｃと、を有し、全体が金属製の円筒状部材で構成される。
【００４７】
受け台先端部３３ａは、手でメカセット２３の芯パイプ２３（図１１）の後端の中心孔に押し込んで固定でき且つ比較的簡単にそれを引き抜くことができるような寸法及び形状に設定される。
【００４８】
受け台後端部３３ｃの孔径は、手で消しゴム３５を押し込んで固定でき且つ比較的簡単に消しゴム３５を引き抜ける寸法に設定される。
【００４９】
受け台フランジ部３３ｂは、手でノックバー３７を被せて受け台フランジ部３３ｂに当たるまで装着・固定でき且つ手でノックバー３７を引き抜けるような寸法及び形状に設定される。
【００５０】
なお、上記３つの固定に関して、そのような寸法構成に代え、或いは、加えて、少なくとも一方の要素に突起等を設ける構成を採用することによっても斯かる固定を実現できる。
【００５１】
消しゴム３５は、消しゴム本体に装着される金属ジャケットを含む。ノックバー３７は、底ないし端面が中央に窓（貫通穴）を有するような有底の細長い円筒キャップの形状を有する。
【００５２】
以上の構成を有して成る本第２実施形態の筆記具２１によれば、ノックバーが芯削り機能を有していないものの、実質上、上記第１実施形態のそれと同様の効果を得ることができる。
【図面の簡単な説明】
【００５３】
【図１】本考案の第１実施形態の筆記具を示す側面断面図である。
【図２】本考案の第１実施形態の筆記具を示す側面図である。
【図３】本考案の第１実施形態に係るメカセットの側面断面図である。
【図４】本考案の第１実施形態に係る中軸の側面図である。
【図５】本考案の第１実施形態に係る中軸の側面断面図である。
【図６】本考案の第１実施形態に係る中軸の先端面図である。
【図７】本考案の第１実施形態に係る中軸の後端面図である。
【図８】本考案の第１実施形態に係る後軸の側面図である。
【図９】本考案の第１実施形態に係る後軸の端面図である。
【図１０】本考案の第１実施形態に係る尾冠の側面断面図である。
【図１１】本考案の第２実施形態の筆記具を示す側面断面図である。
【図１２】本考案の第２実施形態の筆記具を示す側面図である。
【図１３】本考案の第２実施形態に係る先金の側面図である。
【図１４】本考案の第２実施形態に係る先金の側面断面図である。
【図１５】本考案の第２実施形態に係る受け台の側面断面図である。
【符号の説明】
【００５４】
１、２１      筆記具
３、２３      メカセット
３ａ      芯パイプ
３ｂ      チャック部
３ｃ      ダボ
３ｄ      コイルバネ
５      中軸
５ａ      中軸連結部
５ｂ      中軸リング部
５ｃ      中軸の本体部
５ｃｈ      面取り部
５ｇ      キー溝
５ｓ      スリット
７      後軸
７ｓｆ      面
９、２９      先金
９ａ      先端部
９ｂ      握り部
１１      尾冠
１１ａ      尾冠連結部
１１ｂ      尾冠フランジ部
１１ｃ      尾冠円筒部
１３、３７      ノックバー
１３ａ      先端孔部
１３ｂ      後端孔部
１５      クリップ
１７      芯削り刃
１９      天飾り
３３      受け台
３３ａ      受け台先端部
３３ｂ      受け台フランジ部
３３ｃ      受け台後端部
３５      消しゴム
【図１】
0003163128.tif 000003
【図２】
0003163128.tif 000004
【図３】
0003163128.tif 000005
【図４】
0003163128.tif 000006
【図５】
0003163128.tif 000007
【図６】
0003163128.tif 000008
【図７】
0003163128.tif 000009
【図８】
0003163128.tif 000010
【図９】
0003163128.tif 000011
【図１０】
0003163128.tif 000012
【図１１】
0003163128.tif 000013
【図１２】
0003163128.tif 000014
【図１３】
0003163128.tif 000015
【図１４】
0003163128.tif 000016
【図１５】
0003163128.tif 000017